(57)【要約】【課題】一定の厚みを有するエアバックフェンスが自立すべく形成してなり、単体でもフェンス等に使用できると共に、組み合せて円筒形あるいは多角形に形成することにより、多目的に使用できる。また、少なくとも１面を斜状あるいは円弧状に形成することにより、特にトンネル内の清掃時に有効である。さらに、貫通部を設けることにより大型のエアバックフェンスに使用でき、冷気・熱気・温水等を入れることにより、冷却を必要とするフェンスや解凍を必要とするフェンスに使用できる。さらにまた、水を入れることにより一定の厚みを有するエアバックフェンスが屋外でも自立することができる一定の厚みを有するエアバックフェンスを提供する。【解決手段】気密性のある表基布と裏基布をほぼ一定の長さを有する多数の連結糸で連結し、周縁を気密加工してなるもので、自立すべく台部を設けてなる。【選択図】　図１
2004060422.tif 000002
【特許請求の範囲】
【請求項１】
気密性のある表基布と裏基布をほぼ一定の長さを有する多数の連結糸で連結し、周縁を気密加工してなるもので、自立すべく台部を設けてなることを特徴とする一定の厚みを有するエアバックフェンス。
【請求項２】
幅寸法を７０ｍｍ以上とすることを特徴とする請求項１記載の一定の厚みを有するエアバックフェンス。
【請求項３】
少なくとも２つの一定の厚みを有するエアバックフェンスを組み合せ円筒形あるいは多角形に形成し、少なくとも２面を開放してなることを特徴とする請求項１又は２記載の一定の厚みを有するエアバックフェンス。
【請求項４】
気密性のある表基布と裏基布をほぼ一定の長さを有する多数の連結糸で連結し、周縁を気密加工してなる一定の厚みを有するエアバックフェンスの少なくとも１面を斜状あるいは円弧状に形成してなることを特徴とする一定の厚みを有するエアバックフェンス。
【請求項５】
気密性のある表基布と裏基布をほぼ一定の長さを有する多数の連結糸で連結し、周縁を気密加工してなる一定の厚みを有するエアバックフェンスに貫通する貫通部を設けてなることを特徴とする一定の厚みを有するエアバックフェンス。
【請求項６】
一定の厚みを有するエアバックフェンスの内側に電磁波シールドシートを設けてなることを特徴とする請求項１、２、３、４又は５記載の一定の厚みを有するエアバックフェンス。
【請求項７】
一定の厚みを有するエアバックフェンスの上部あるいは上方に紫外線カットシートを設けてなることを特徴とする請求項１、２、３、４、５又は６記載の一定の厚みを有するエアバックフェンス。
【請求項８】
一定の厚みを有するエアバックフェンスの内部に冷気を入れてなることを特徴とする請求項１、２、３、４、５、６又は７記載の一定の厚みを有するエアバックフェンス。
【請求項９】
一定の厚みを有するエアバックフェンスの内部に熱気を入れてなることを特徴とする請求項１、２、３、４、５、６又は７記載の一定の厚みを有するエアバックフェンス。
【請求項１０】
気密性のある表基布と裏基布をほぼ一定の長さを有する多数の連結糸で連結し、周縁を気密加工してなる一定の厚みを有するエアバックフェンスの内部に液体を入れてなることを特徴とする一定の厚みを有するエアバックフェンス。
【請求項１１】
請求項１、２、３、４、５、６、７、８又は９記載の一定の厚みを有するエアバックフェンスの内部に液体を入れてなることを特徴とする一定の厚みを有するエアバックフェンス。
【請求項１２】
液体が水であることを特徴とする請求項１０又は１１記載の一定の厚みを有するエアバックフェンス。
【請求項１３】
液体が温水であることを特徴とする請求項１０又は１１記載の一定の厚みを有するエアバックフェンス。
【発明の詳細な説明】
【０００１】
【発明の属する技術分野】
本発明は、一定の厚みを有するエアバックフェンスであって、保冷間仕切りフェンス、トンネル内やコンクリート壁等の清掃時における飛散防止フェンスや道路工事用のガードフェンス等に使用する一定の厚みを有するエアバックフェンスに関するものである。
【０００２】
【従来の技術】
従来の技術としては、特開２００１−３７６６２に記載されているような、気密性のある表基布と裏基布を略一定長の多数の連結糸で連結して周縁を気密加工するとともに、適宜適所にエアの給排気部を設けた三つのエアバックから構成される簡易浴槽であって、前記エアバックのうち１つのエアバックは、浴槽の底面と２箇所の壁面を構成するようにされ、他の２つのエアバックは前記エアバックの両側部に接合されて、浴槽の残り２箇所の壁面を構成するようにされることを特徴とする簡易浴槽が開示されている。
また、特開２００１−１５２７０８に記載されているような、一定空間の上面と左右両側面を囲い込むよう地上に設置される天幕材と、少なくとも囲われる空間内の地面に敷かれる床敷き材を備えたテントまたはテント用風除室であって、前記天幕材は、一定の厚みを有する平坦状のエアマットを折り曲げて構成されることを特徴とするテントまたはテント用風除室が開示されている。
【０００３】
【発明が解決しようとする課題】
上記各従来例において、エアバック及びエアマットは単体で自立すべく形成していないため、必ずエアバックを複数設けるか、エアマットを折り曲げて形成しなければならない。
また、エアバック及びエアマット内には単に空気を入れてなるのみであって、用途が必然的に限定されてしまう。
さらに、付帯設備としての電磁波シールドや紫外線カットシートを設けていないため、電話回線ＢＯＸ内におけるメンテナンス時のカバーフェンスや屋外プール等には使用しにくい場合もある。
本発明は、上記問題点に鑑みなされたものであって、その目的は、一定の厚みを有するエアバックフェンスが自立すべく形成してなり、単体でもフェンス等に使用できると共に、組み合せて円筒形あるいは多角形に形成することにより、多目的に使用できる。
また、少なくとも１面を斜状あるいは円弧状に形成することにより、特にトンネル内の清掃時に有効である。
さらに、貫通部を設けることにより大型のエアバックフェンスに使用でき、冷気・熱気・温水等を入れることにより、冷却を必要とするフェンスや解凍を必要とするフェンスに使用できる。
さらにまた、水を入れることにより一定の厚みを有するエアバックフェンスが屋外でも自立することができる一定の厚みを有するエアバックフェンスを提供する。
【０００４】
【課題を解決するための手段】
課題を解決するための手段として、気密性のある表基布と裏基布をほぼ一定の長さを有する多数の連結糸で連結し、周縁を気密加工してなるもので、自立すべく台部を設けてなること。また、幅寸法を７０ｍｍ以上とすること。少なくとも２つの一定の厚みを有するエアバックフェンスを組み合せ円筒形あるいは多角形に形成し、少なくとも２面を開放してなること。さらに、気密性のある表基布と裏基布をほぼ一定の長さを有する多数の連結糸で連結し、周縁を気密加工してなる一定の厚みを有するエアバックフェンスの少なくとも１面を斜状あるいは円弧状に形成してなること。気密性のある表基布と裏基布をほぼ一定の長さを有する多数の連結糸で連結し、周縁を気密加工してなる一定の厚みを有するエアバックフェンスに貫通する貫通部を設けてなること。さらにまた、一定の厚みを有するエアバックフェンスの内側に電磁波シールドシートを設けてなること。一定の厚みを有するエアバックフェンスの上部あるいは上方に紫外線カットシートを設けてなること。一定の厚みを有するエアバックフェンスの内部に冷気を入れてなること。一定の厚みを有するエアバックフェンスの内部に熱気を入れてなること。一定の厚みを有するエアバックフェンスの内部に液体を入れてなること。液体が水であること。液体が温水であることを特徴とする。
【０００５】
【発明の実施の形態】
一定の厚みを有するエアバックフェンス１は、気密性のある表基布２ａと裏基布２ｂをほぼ一定の長さを有する多数の連結糸２ｃで連結し、周縁を気密加工してなるもので、自立すべく台部３を設けてなるものである。
本発明の一定の厚みを有するエアバックフェンス１の台部３は、周縁を気密加工すると同時に、自立するためのもので、適度な剛性を有する枠状の合成樹脂製が望ましく接着剤にて密着させると共に、空気等を入れる吸入口３ａを設け、高さ寸法Ｈが１ｍ５０ｃｍ以内で、幅寸法Ｈ１が７０ｍｍ以上あれば問題なく自立でき、特に風が入り込まない体育館の内側のフェンスに使用でき、各種スポーツ（例えば卓球やバスケット等）を行う場合に使用できるものである。
なお、長さは特に限定することはないが、２ｍ位が適当と思う。
また、吸入口３ａは台部３に設けてあるが、表基布２ａあるいは裏基布２ｂに設けてもよい。
さらに、吸入口３ａは蛇腹状に形成し、折り畳むこともできる。
【０００６】
つぎに、第２実施例の一定の厚みを有するエアバックフェンスについて説明する。
一定の厚みを有するエアバックフェンス２１は、上記第１実施例における一定の厚みを有するエアバックフェンス１を４つ組み合せ、上方と下方を開放した４角形に形成したもので、各一定の厚みを有するエアバックフェンス１の接合面の上下に凸凹による着脱自在な接合部４を設けてなるものである。
この一定の厚みを有するエアバックフェンス２１は、マンホール工事用のフェンスとして使用できると共に、底に合成樹脂製のシートを敷いて、内部で稲の発芽槽としても使用できる。
【０００７】
つぎに、第３実施例の一定の厚みを有するエアバックフェンスについて説明する。
一定の厚みを有するエアバックフェンス３１は、４つの一定の厚みを有するエアバックフェンス（この例は第１実施例のような自立するタイプではなく、周縁の気密加工を布にて行う、従来と同じ形態のもの）３１Ａのそれぞれの１面（端面）を斜状３１Ａｂに形成してなるもので、一定の厚みを有するエアバックフェンス３１の全体の１面（端面）を斜状５に形成してなるものである。
この一定の厚みを有するエアバックフェンス３１は、トンネル内の壁に斜状５を当接し、反対側より高圧水にて高圧洗浄するもので、周囲に汚水が飛散するのを防止できるものである。
なお、斜状５を円弧状に形成し、トンネルの内側片側面全体に当接する大型のタイプも考えられる。
【０００８】
つぎに、第４実施例の一定の厚みを有するエアバックフェンスについて説明する。
一定の厚みを有するエアバックフェンス４１は、少なくとも２つ以上の一定の厚みを有するエアバックフェンス（上記第３実施例と同様な形態）４１Ａの相対向する端面４１Ａｂ間に、貫通する蛇腹パイプによる貫通部６を上下方向に３箇所設けてなるものである。
特に、冷気を入れて保冷間仕切りフェンスとして使用する場合、吸入口（図示せず）より冷気を入れ、末端の一定の厚みを有するエアバックフェンス４１Ａに排気口（図示せず）を設け、常時冷気を入れることが望ましい。
この一定の厚みを有するエアバックフェンス４１は、冷凍マグロをセリにかける時に使用するフェンスとして有効で、その場合、底面には保冷板等を設けた場所での使用となる。
また、大量の冷凍食品を解凍する場合は、内部に熱気等を入れることにより解凍できると共に、底面にヒーター板を設けることにより、より一層解凍能力を向上させることができる。
【０００９】
つぎに、第５実施例の一定の厚みを有するエアバックフェンスについて説明する。
一定の厚みを有するエアバックフェンス５１は、上記一定の厚みを有するエアバックフェンス４１と同様の目的のもので、帯状の一定の厚みを有するエアバックフェンス５１Ａを、所要箇所で熱溶着Ｎさせ、上部と下部に貫通する貫通部５１Ｂ・５１Ｃを設けてなるものである。
この一定の厚みを有するエアバックフェンス５１は、加工も簡単であり、特に長い（帯状）形態に有効である。
【００１０】
つぎに、第６実施例の一定の厚みを有するエアバックフェンスについて説明する。
一定の厚みを有するエアバックフェンス６１は、一定の厚みを有するエアバックフェンス６１Ａの長さが長い（例えば１０ｍ以上）場合や、屋外で使用し風が強い日などは前記第１実施例の形態では転倒することも考えられる場合に使用するもので、下部を挟持する挟持板７ａ・７ａと基板７ｂとからなる台部７を所要間隔にて設けてなるものである。
なお、従来のものにも使用できるものである。
【００１１】
つぎに、第７実施例の一定の厚みを有するエアバックフェンスについて説明する。
一定の厚みを有するエアバックフェンス７１は、内側に電磁波シールドシート８を設けてなるもので、３つ組み合せ門型（図示せず）に形成し、例えば電気回線ＢＯＸ内におけるメンテナンス時のカバーフェンスに使用できる。
つまり、外部から電磁波をカットできる効果を有するものである。
なお、電磁波シールドシート８を外側に設けてもよい。
また、門型の出入口（図示せず）には同様な電磁波シールドシート８をカーテン状に形成してなる。
【００１２】
つぎに、第８実施例の一定の厚みを有するエアバックフェンスについて説明する。
一定の厚みを有するエアバックフェンス８１は、内部に水あるいは温水による液体９を入れてなるもので、水の場合は主に屋外で使用する工事現場等のフェンス（バリケード）に使用できる。（特に前記一定の厚みを有するエアバックフェンス１の場合に有効であるが、別の一定の厚みを有するエアバックフェンスにも使用できる。）
また、温水は上記一定の厚みを有するエアバックフェンス４１・５１の使用例における解凍時に有効に使用できるものである。
【００１３】
なお、上記各実施例において、特に高さ寸法や長さ寸法は特に限定しない。
また、各実施例における使用例も上記使用例に限定せず、他にも応用できる。
さらに、応用例として、一定の厚みを有するエアバックフェンスの上部あるいは上方に紫外線カットシートを設けることにより屋外プールにも使用できるものである。
【００１４】
【発明の効果】
１）、一定の厚みを有するエアバックフェンスが、それ自体で自立すべく形成してなり、特に風が入り込まない体育館の内側のフェンスに使用し、各種スポーツ（例えば卓球やバスケット等）を行う場合に使用できる。
特に、幅寸法を７０ｍｍ以上にすることが効果的である。
２）、一定の厚みを有するエアバックフェンスを組み合せて円筒形あるいは多角形に形成することにより、多目的（マンホール工事用フェンスや稲の発芽用水槽等）に使用できる。
３）、少なくとも１面を斜状あるいは円弧状に形成することにより、特にトンネル内の壁面に当接し、清掃時（高圧洗浄）の飛散防止効果がある。
４）、貫通部を設けることにより、一定の厚みを有するエアバックフェンスを連設（帯状）して大型のフェンスを構築することができ、特に冷気・熱気・温水等を入れることにより、冷却を必要とするフェンスや解凍を必要とするフェンスに使用できる。
５）、電磁波シールドシートを付設することにより、特に電気回線ＢＯＸのメンテナンス時に電磁波を遮断できるため有効である。
６）、紫外線カットシートを設けることにより、屋外プール等に有効に使用できる。
７）、液体（水）を入れることにより、一定の厚みを有するエアバックフェンスが風のある屋外においても倒れることなく使用できる効果を有する。
【図面の簡単な説明】
【図１】本発明の第１実施例を示す一定の厚みを有するエアバックフェンスの斜視図。
【図２】本発明の第１実施例を示す一定の厚みを有するエアバックフェンスの縦断側面図。
【図３】本発明の第２実施例を示す一定の厚みを有するエアバックフェンスの斜視図。
【図４】本発明の第２実施例を示す一定の厚みを有するエアバックフェンスの縦断側面図。
【図５】本発明の第３実施例を示す一定の厚みを有するエアバックフェンスの縦断側面図。
【図６】本発明の第４実施例を示す一定の厚みを有するエアバックフェンスの要部の平面図。
【図７】本発明の第４実施例を示す一定の厚みを有するエアバックフェンスの要部の側面図。
【図８】本発明の第５実施例を示す一定の厚みを有するエアバックフェンスの要部の平面図。
【図９】本発明の第５実施例を示す一定の厚みを有するエアバックフェンスの要部の側面図。
【図１０】本発明の第６実施例を示す一定の厚みを有するエアバックフェンスの斜視図。
【図１１】本発明の第６実施例を示す一定の厚みを有するエアバックフェンスの縦断側面図。
【図１２】本発明の第７実施例を示す一定の厚みを有するエアバックフェンスの要部の縦断側面図。
【図１３】本発明の第８実施例を示す一定の厚みを有するエアバックフェンスの要部の縦断側面図。
【符号の説明】
１−−−一定の厚みを有するエアバックフェンス
２−−−エアバック本体
２ａ−−表基布
３−−−台部
３ａ−−吸入口
Ｈ１−−幅寸法
【図１】
2004060422.tif 000003
【図２】
2004060422.tif 000004
【図３】
2004060422.tif 000005
【図４】
2004060422.tif 000006
【図５】
2004060422.tif 000007
【図６】
2004060422.tif 000008
【図７】
2004060422.tif 000009
【図８】
2004060422.tif 000010
【図９】
2004060422.tif 000011
【図１０】
2004060422.tif 000012
【図１１】
2004060422.tif 000013
【図１２】
2004060422.tif 000014
【図１３】
2004060422.tif 000015